(57)【要約】【課題】回路基板同士を間隔をもって接続する電気コネクタであって、電源ブレードを備え、コネクタを大型化することなく、該電源ブレードを強固に保持することを課題をする。【解決手段】信号ブレード３０と、電源ブレード１０と、ブレード保持孔５１が貫通形成された保持体５０とを有し、信号ブレード３０と電源ブレード１０がそれぞれの基材に形成された被案内側縁１８で案内されてブレード保持孔５１へ所定位置まで挿入されて基板の板面に平行な面上に配列されるように保持され、両ブレードの接続部がブレード保持孔５１の開口側に位置している電気コネクタにおいて、電源ブレード１０は、電源回路１２の側縁に形成され該電源ブレードの被案内側縁１８よりも側方へ突出する係止突起１３が設けられていて、電源ブレード１０が保持体５０のブレード保持孔５１へ挿入されたときに、係止突起１３が該ブレード保持孔５１の対応面に喰い込むことを特徴とする。【選択図】図２
2011076826.tif 000002
【特許請求の範囲】
【請求項１】
電気絶縁材の板状の基材の両端側に位置する接続部同士を結ぶように延びる複数の信号回路を平行に該基材に設けた信号ブレードと、電気絶縁材の板状の基材の両端側に位置する接続部同士を結ぶように延びる金属板の電源回路を該基材との一体成形により保持する電源ブレードと、電気絶縁材で作られていてスリット状のブレード保持孔が貫通形成された保持体とを有し、上記信号ブレードと電源ブレードがそれぞれの基材に形成された被案内側縁で案内されて上記ブレード保持孔へ所定位置まで挿入されて基板の板面に平行な面上に配列されるように保持され、両ブレードの接続部が上記ブレード保持孔の開口側に位置している電気コネクタにおいて、
電源ブレードは、電源回路の側縁に形成され該電源ブレードの被案内側縁よりも側方へ突出する係止突起が設けられていて、電源ブレードが保持体のブレード保持孔へ挿入されたときに、上記係止突起が該ブレード保持孔の対応面に喰い込むことを特徴とする電気コネクタ。
【請求項２】
電源ブレードと保持体は、電源ブレードが所定位置まで挿入されたときに、互いに当接して位置を定めるために、電源ブレードの基材に被規制部、保持体のブレード保持孔の内面に規制部を、それぞれ有していることとする請求項１に記載の電気コネクタ。
【請求項３】
保持体は一つの部材から作られており、電源ブレードは保持体のブレード保持孔に対し一方から挿入されるようになっていて挿入方向後端域に係止突起が設けられていることとする請求項１又は請求項２に記載の電気コネクタ。
【請求項４】
保持体は、電源ブレードの両端側のそれぞれに位置するように形成された分割保持体を有し、電源ブレードは基材の各端から対応せる分割保持体に挿入され、それぞれの分割保持体に対応して係止突起を有していることとする請求項１ないし請求項３のうちの一つに記載の電気コネクタ。
【請求項５】
電源ブレードは、該電源ブレードの基材の板面に保持体への挿入方向に延びる条溝部が形成され、保持体はブレード保持孔の内面に該条溝部を案内する凸条部が設けられ、上記条溝部と凸条部は、電源ブレードが上記保持体のブレード保持孔へ所定位置まで挿入されたときに、互いに締まり合う締結部を有していることとする請求項１ないし請求項４のうちの一つに記載の電気コネクタ。
【請求項６】
電源ブレードは、該電源ブレードの基材の板面に、保持体のブレード保持孔の対応内面を圧するリブが設けられていることとする請求項１ないし請求項６のうちの一つに記載の電気コネクタ。
【発明の詳細な説明】
【技術分野】
【０００１】
本発明は、両端側に接続部を有し、両接続部に被接続体が接続されて、両被接続体の電気的接続を図る電気コネクタに関する。
【背景技術】
【０００２】
二つの回路基板を比較的大きい間隔をもって平行状態に位置せしめ、互いの回路部同士を接続せねばならぬことがある。この場合、二つの回路基板の回路部には、ともにコネクタ等の被接続体が取り付けられ、これらの被接続体が上記間隔に見合った高さのコネクタを介して接続される。
【０００３】
このようなコネクタは、例えば、特許文献１に開示されている。この特許文献１では、各回路基板に配されたコネクタ、すなわち二つのコネクタを有するコネクタ組立体として形成されている。
【０００４】
各コネクタは絶縁ケースに板状の複数のモジュールが平行に組み込まれていて両コネクタは組立状態で、互いのモジュールに設けられた端子同士が電気的に接続されてコネクタ組立体を成す。
【０００５】
各モジュールは、板状の絶縁支持体の一方の面に複数の信号端子（回路）が、そして他方の面に金属板製のシールド部材が取り付けられている。上記モジュールは、板状の上記絶縁支持体の端子配列方向両端に該絶縁支持体の一部として片端部を有していて、上記絶縁ケースへ挿入されたときに、該片端部が該絶縁ケースで支持される。
【先行技術文献】
【特許文献】
【０００６】
【特許文献１】特表２００２−５３０８３９
【発明の概要】
【発明が解決しようとする課題】
【０００７】
しかしながら、特許文献１にあっては、各モジュールは、絶縁ケースにより支持される片端部が絶縁材料製の絶縁支持体の一部として作られているので、片端部は十分な強度を確保するには大寸法に作られねばならず、モジュールが大型化してしまい、その結果、多くのモジュールを保持して成るコネクタも大型化する。換言すれば、上記片端部を小型化すると、該片端部の強度が低下してしまう。
【０００８】
特に、上述のモジュールにあっては、信号端子用モジュールには絶縁支持体の成形後に、別体として金属板で作られたシールド部材が取り付けられているが、該シールド部材は、簡単な機械的方法で絶縁支持体に取り付けられているだけなので、その取付強度は低く、このシールド部材の一部を利用して絶縁ケースにより支持されるようにするわけには行かない。ましてや、このモジュールに類する電源用モジュール（通称、ブレードと称される）には、シールド板は不要なので、電源用モジュールでは、絶縁支持体の一部で、絶縁ケースにより支持されるしかない。
【０００９】
かくして、特許文献１にあっては、大型化あるいは強度低下といった点での改善が望まれていた。
【００１０】
本発明は、このような事情に鑑み、電源ブレード、ひいてはコネクタ全体を大型することなく、該電源ブレードを強固に保持できる電気コネクタを提供することを課題とする。
【課題を解決するための手段】
【００１１】
本発明に係る電気コネクタは、電気絶縁材の板状の基材の両端側に位置する接続部同士を結ぶように延びる複数の信号回路を平行に該基材に設けた信号ブレードと、電気絶縁材の板状の基材の両端側に位置する接続部同士を結ぶように延びる金属板の電源回路を該基材との一体成形により保持する電源ブレードと、電気絶縁材で作られていてスリット状のブレード保持孔が貫通形成された保持体とを有し、上記信号ブレードと電源ブレードがそれぞれの基材に形成された被案内側縁で案内されて上記ブレード保持孔へ所定位置まで挿入されて基板の板面に平行な面上に配列されるように保持され、両ブレードの接続部が上記ブレード保持孔の開口側に位置している。
【００１２】
かかる電気コネクタにおいて、本発明では、電源ブレードは、電源回路の側縁に形成され該電源ブレードの被案内側縁よりも側方へ突出する係止突起が設けられていて、電源ブレードが保持体のブレード保持孔へ挿入されたときに、上記係止突起が該ブレード保持孔の対応面に喰い込むことを特徴としている。
【００１３】
このような構成の本発明によると、金属板製の電源回路が絶縁材の基材と一体成形により保持されているので、基材による該電源回路の保持強度は大である。又、電源回路の側縁に形成された係止突起が、電源ブレードの基材に形成された被案内側縁から突出している。この係止突起は金属板の電源回路の一部なので突出量が小さくとも該係止突起自体の強度は大である。又、該係止突起は厚み方向でも金属板の厚さ寸法であるので同方向でも、基材の厚み範囲に収まり大型化することはない。かくして、電源ブレードは、きわめてコンパクトになるにもかかわらず、係止突起の保持体の対応面への喰い込みによって、電源ブレードは保持体により強固に保持される。
【００１４】
本発明において、電源ブレードと保持体は、電源ブレードが所定位置まで挿入されたときに、互いに当接して位置を定めるために、電源ブレードの基材に被規制部、保持体のブレード保持孔の内面に規制部を、それぞれ有していることが好ましい。こうすることにより、電源ブレードは、該電源ブレードの被規制部が保持部の規制部と当接した時点で、該電源ブレードの挿入方向で所定位置にて保持体により保持される。
【００１５】
本発明において、電源ブレードの両端間の距離がさほど長くない場合には、保持体は一つの部材から作られていて、電源ブレードは保持体のブレード保持孔に対し一方から挿入されるようになっていて挿入方向後端域に係止突起が設けられているようにすることができる。
【００１６】
これに対して、電源ブレードの両端間の距離が長い場合には、保持体は、電源ブレードの両端側のそれぞれに位置するように形成された分割保持体を有し、電源ブレードは基材の各端から対応せる分割保持体に挿入され、それぞれの分割保持体に対応して係止突起を有しているようにすることができる。その際、両端側の分割保持体の間にスペーサ部材を設けることとすると、両分割保持体の位置が安定する。この分割保持体を用いると、電源ブレードの高さが変更されても、これに容易に対応でき、スペーサ部材を用いるときでも、スペーサ部材のみを変更すれば良い。
【００１７】
本発明において、電源ブレードは、該電源ブレードの基材の板面に保持体への挿入方向に延びる条溝部が形成され、保持体はブレード保持孔の内面に該条溝部を案内する凸条部が設けられ、上記条溝部と凸条部は、電源ブレードが上記保持体のブレード保持孔へ所定位置まで挿入されたときに、互いに締まり合う締結部を有していることが好ましい。こうすることで、上記凸条部と条溝部との作用によって、電源ブレードの挿入方向のみならず、幅方向での保持が強化されそして位置決めが確実となる。
【００１８】
本発明において、電源ブレードは、該電源ブレードの基材の板面に、保持体のブレード保持孔の対応内面を圧するリブが設けられていることが好ましい。こうすることで、リブとブレード保持孔の対応内面との接圧により、電源ブレードの挿入方向のみならず、板厚方向での保持が強化されそして位置決めが確実となる。特に板厚方向でのブレード保持孔内でのガタはなくなる。
【発明の効果】
【００１９】
本発明は、以上のように、金属板から成る電源回路を一体成形で絶縁材の基材で保持して電源ブレードを形成し、保持体のブレード保持孔により案内される該電源ブレードの基材の被案内側縁から上記電源端子に形成された突起を突出せしめることとし、該突起が上記ブレード保持孔の対応内面に喰い込むことにより、該電源ブレードを強固に保持することとしたので、上記突起は突出量も厚みも小さくてよく、電源ブレードの大きさには殆んど影響なく大型化されることはない。しかも保持強度は十分に確保される。
【図面の簡単な説明】
【００２０】
【図１】本発明の一実施形態のコネクタ全体を示す斜視図である。
【図２】図１のコネクタに用いられる電源ブレードの斜視図であり、（Ａ）は内面側、（Ｂ）は外面側を示す。
【図３】図１のコネクタに用いられる信号ブレードの斜視図であり、（Ａ）は内面側、（Ｂ）は外面側を示す。
【図４】図１のコネクタの断面図であり、（Ａ）は（Ｃ）におけるＡ−Ａ断面、（Ｂ）は（Ｃ）におけるＢ−Ｂ断面、（Ｃ）は（Ｂ）におけるＣ−Ｃ断面を示す。
【図５】本発明の第二実施形態のコネクタ全体を示す斜視図である。
【図６】図１のコネクタに用いられる電源ブレードの斜視図であり、（Ａ）は内面側、（Ｂ）は外面側を示す。
【図７】図１のコネクタに用いられる信号ブレードの斜視図であり、（Ａ）は内面側、（Ｂ）は外面側を示す。
【図８】図１のコネクタの断面図であり、（Ａ）は図４の（Ａ）に対応する位置での断面、（Ｂ）は図４の（Ｂ）に対応する位置での断面、を示す。
【図９】本発明の第三実施形態を示す斜視図で、（Ａ）は治具にセットされた電源ブレードそして信号ブレードを示し、（Ｂ）は治具のみを示している。
【発明を実施するための形態】
【００２１】
以下、添付図面にもとづき、本発明の実施の形態について説明する。
【００２２】
＜第一実施形態＞
図１は本発明の第一実施形態としての電気コネクタの外観を示す斜視図である。コネクタ１は、電源ブレード１０、信号ブレード３０、保持体５０を有している。図示の例では、板状をなす一つの電源ブレード１０、四つの信号ブレード３０が一つの面に配列されていて一つの組をなし、二つの組が互いに対向して面するように対をなして、上記保持体５０のそれぞれのブレード保持孔５１に挿入されている。このような電源ブレード１０そして信号ブレード３０を保持して成るコネクタ１は、回路基板（図示せず）上に配されて該回路基板の対応部にて半田接続され、他の回路基板に接続された相手コネクタ（図示せず）を上方から受け入れて、上記回路基板と他の回路基板を電気的に接続するために用いられる。
【００２３】
電源ブレード１０は、ブレード保持孔５１の内方側に向く面の上端域に、金属板で作られた板状の二つの電源回路１２の接続部１２Ａを有し、下端からは歯状に突出したそれぞれの電源回路１２の接続部１２Ｂを有している。信号ブレード３０は、複数の信号回路のそれぞれが、上記ブレード保持孔５１の内方に向く面側の上端域に、細帯状の信号回路の接続部３２Ａを有し、下端からは接続部３２Ｂが突出している。これらの電源ブレード１０そして信号ブレード３０の上記下端側の接続部１２Ｂ、３２Ｂが回路基板へ、半田接続される。保持体５０は、両側端部にガイドポスト５２を有していて、ここで相手コネクタに案内されつつ互いに嵌合され、上記二組の電源ブレード１０そして信号ブレード３０間へ相手コネクタの対応部を受け入れる。
【００２４】
以下、電源ブレード１０、信号ブレード３０について、保持体５０とともに説明する。
【００２５】
電源ブレード１０は、図２（Ａ），（Ｂ）に見られるように、金属板の二つの電源回路１２を有し、両電源回路１２は絶縁材の一つの基材１１との一体モールド成形により保持されている。二つの電源回路１２は、その板面同士が一つの面上に位置するように並んで保持されていて、それぞれ一部が上記基材１１から露呈している。二つの電源回路１２は、本実施形態では、その幅に若干の差があるが基本形態は同じである。
【００２６】
各電源回路１２は、全体が長方形をなし、一端側となる上端側に平板状の接続部１２Ａ、他端側となる下端側に歯状の他の接続部１２Ｂを有している。中間部は、基材１１から部分的に露呈しつつ、該基材１１により保持されている。上記上端側の接続部１２Ａは平坦面であるが下端側の接続部１２Ｂは、板面に対し直角に屈曲された部分に歯状に形成されている。この下端側の接続部１２Ｂよりも若干上方位置の側縁には、側方に突出する係止突起１３が設けられている。該係止突起１３は、上側で斜縁を下側で直角縁をなす三角形の翼状となっている。
【００２７】
基材１１は、全体として略平板状をなし、その厚みの中で上記平板状の電源回路１２を保持している。
【００２８】
上記基材１１は、保持体のブレード保持孔５１の内方に向く内面（図２（Ａ）参照）と該保持体５０の側壁に面する外面（図２（Ｂ）参照）とを有し、図２（Ａ）のごとく、上記内面に小窓部１１Ａと長窓部１１Ｂとが形成されていて、電源回路１２を部分的に露呈させている。また、この基材１１の内面側では、上記平板状電源回路１２の上端側の接続部１２Ａが露呈していて、該接続部１２Ａの隣接域に上記小窓部１１Ａが位置している。上記長窓部１１Ｂを形成する中間域は、該長窓部１１Ｂの周囲に段状に厚みを増した枠状の回路保持部１４が設けられていて、二つの電源回路１２に対応して設けられた二つの回路保持部１４の間に条溝部１５が上下方向に貫通して形成されている。この条溝部１５は電源ブレード１０のブレード保持孔５１への挿入時に、ブレード保持孔５１の内面に形成された凸条部により案内されるために形成されている。上記回路保持部１４の上端縁面は、電源ブレード１０が保持体５０のブレード保持孔５１へ挿入された際に、ブレード保持孔５１の対応部（規制部）と当接して挿入方向の位置決めがなされる被規制部１４Ａとなっている。上記条溝部１５の対向溝内面には、上端側に拡幅された締結部１５Ａそして下端側に狭幅された締結部１５Ｂが形成されており、いずれも、電源ブレード１０のブレード保持孔５１への挿入完了時に、ブレード保持孔５１の凸条部の対応部と締まり合って位置の固定を図る。又、基材１１の下端側縁部には突出部１６が設けられている。この突出部１６は電源ブレード１０の挿抜操作時に指を掛けて操作を楽にするためのものである。この下端側では、基材１１の側縁は段状の切欠部１７が形成されていて、この切欠部１７で電源回路１２の係止突起１３を露出せしめており、該係止突起１３の先端は基材１１の側端面１８よりも若干突出している。
【００２９】
上記基材１１の外面は、図２（Ｂ）に見られるごとく、内面に形成された小窓部１１Ａと長窓部１１Ｂに対応する位置に同様の形状そして大きさの小窓部１１Ｃと長窓部１１Ｄが形成されている。内面で露呈していた電源回路１２の上端側の接続部１２Ａは、外面側では、基材１１により覆われていて露呈していない。基材１１の外面は、ほぼ均一な平坦面をなしているが、小窓部１１Ａと長窓部１１Ｂとの間の位置に、幅方向に延びるリブ１９が設けられている。該リブ１９は、ブレード保持孔５１の内面を圧して、電源ブレード１０の上記ブレード保持孔５１内でのガタツキをなくすために設けられている。さらに、基材１１の外面には、下端縁に、内面側に形成された突出部１６と同様の突出部２０が同様の目的で、設けられている。また、基材外面側においても、既述の下端側の切欠部１７が連続して形成せれている。
【００３０】
信号ブレード３０は、図３（Ａ）に見られるように、細帯状の複数の信号回路（端子）３２が、絶縁材の略板状の基材３１により保持されている。各信号回路３２は、電源回路１２の場合と同様に、絶縁材の基材３１との一体モールド成形により保持されている。複数の信号回路３２は、その一部が基材３１から露呈している。
【００３１】
細帯状の各信号回路３２は、一端側となる上端側に帯状の接続部３２Ａ、他端側となる下端側に屈曲された接続部３２Ｂを有している。
【００３２】
上記基材３１は、保持体５０のブレード保持孔５１の内方に向く内面（図３（Ａ）参照）と該保持体５０の側壁に面する外面（図３（Ｂ）参照）とを有している。基材３１の内面側では、図３（Ａ）に見られるように、複数の信号回路３２の上端側の接続部３２Ａが露呈している。この点では、電源回路１２の接続部１２Ａの場合と同様である。また、下端側の接続部３２Ｂも、電源回路１２の接続部１２Ｂと同様に、基材３１の下端から延出すると共に外方へ屈曲されている。上記接続部３２Ａと接続部３２Ｂの間の中間域は、肉厚となっていて、小窓部３１Ａ，３１Ｂが形成されている回路保持部３３となっていて、信号回路３２はこの回路保持部３３内に埋没保持されている。上記肉厚の中間域の回路保持部３３には、条溝部３３Ａが上下方向に貫通して形成されている。この条溝部３３Ａは信号ブレード３０のブレード保持孔５１への挿入時にブレード保持孔５１の内面に形成された凸条部により案内されるために形成されている。上記回路保持部３３の上端縁面は、信号ブレード３０が保持体５０のブレード保持孔５１へ挿入された際に、ブレード保持孔５１の対応部（規制部）と当接して挿入方向の位置決めがなされる被規制部３３Ｂとなっている。上記条溝部３３Ａの対向溝内面には、上端側に拡幅された締結部３３Ｃそして下端側に狭幅された締結部３３Ｄが形成されており、いずれも、信号ブレード３０のブレード保持孔５１への挿入完了時に、ブレード保持孔５１の対応凸条部に締まり合って位置の固定を図る。又、基板３１の下端縁部には、電源ブレード１０の場合と同様、信号ブレード３０のブレード保持孔５１に対する挿抜操作のための、突出部３４が設けられている。
【００３３】
基材３１の外面側では、信号回路３２は基材３１に覆われており、さらに、その上にグランド板４０が取り付けられている。基材３１には、グランド板３５の保持のための保持突起３５Ａ，３５Ｂが設けられており、グランド板４０の対応孔４１Ａ，４１Ｂで該グランド板４０を保持している。上記複数の信号回路３２のいくつかは、グランド回路として用いられることがあり、本実施形態では、そのためにグランド板４０は、対応グランド回路に接触する接触片４２が切り起こしにより形成されている。さらにグランド板４０にはブレード保持孔５１の対応内面の係止部に係止して、該ブレード保持孔５１内でのガタツキをなくすためのばね片４３も切り起こしにより形成されている。なお、グランド板３５の上端側の面は、相手コネクタとの接触部をなす。
【００３４】
既述のような板状の電源ブレード１０、信号ブレード３０を組として二組対向して平行に保持する保持体５０は、図１におけるコネクタの横断面を示す図４（Ｃ）に見られるように、絶縁材により薄型の角筒状に作られていて、両方の側壁５２同士間に、中間壁５３を挟んで、スリット状の二組のブレード保持孔５１が形成されている。各組のブレード保持孔５１は、側壁５２に沿って、左端に電源ブレード用そしてその右方へ四つの信号ブレード用として形成されている。図４（Ｃ）では、各ブレード保持孔５１に対応ブレードが挿入保持されている状態を示しているが、左端の電源ブレード用のブレード保持孔５１についてのみ図示され、その右方の信号ブレード用のブレード保持孔及び信号ブレードは図示が省略されている。各ブレード保持孔５１は、図１にて上下方向に貫通形成されている。なお、図４（Ｃ）の中間壁５２に表わされているスリット状空間５３Ａは保持体の成形加工上のものであり、特には、本発明上は機能していない。
【００３５】
上記ブレード保持孔５１には、中間壁５３の面に上下に延びて凸条部５４が設けられている。この凸条部５４は、図２（Ａ）に見られる電源ブレード１０の条溝部１５、信号ブレード３０の条溝部３３Ａで案内して電源ブレード１０、信号ブレード３０のそれぞれの挿入時の案内に寄与する。上記凸条部５４には、図示はされていないが、上端側に幅広部そして下端側に幅狭部が形成されていて、電源ブレード１０そして信号ブレード３０の挿入完了位置で、電源ブレード１０の上端側の締結部１５Ａそして下端側の締結部１５Ｂと締結し、信号ブレード３０の上端側の締結部３３Ｃそして下端側の締結部３３Ｄと締結するようになっている。
【００３６】
図２に示される電源ブレード１０は、該電源ブレード１０の上端側の接続部１２Ａを、保持体５０のブレード保持孔５１の下端側開口に位置するようにして、該電源ブレード１０を該ブレード保持孔５１へ上方へ向け挿入する。該電源ブレード１０は、上述したブレード保持孔５１の凸条部５４そして該ブレード保持孔５１の両側縁で案内されつつ挿入される。電源ブレード１０は、所定挿入位置まで達すると、図４（Ａ）のごとく、該電源ブレード１０の被規制部１４Ａがブレード保持孔５１の対応せる規制部５１Ａに当接して挿入完了位置が確定される。この挿入完了位置では、電源ブレード１０の上記締結部１５Ａ，１５Ｂがブレード保持孔５１の凸条部５４に形成された対応の幅広部そして幅狭部で締結される。さらに、電源ブレード１０の板状の電源回路１２の側縁に設けられた三角翼状の係止突起１３がブレード保持孔５１の対応内側面に喰い込み、該電源ブレード１０の抜けが防止される（図４（Ｂ）をも参照）。
【００３７】
次に、複数の信号ブレード３０も、次々と電源ブレード１０の場合と同様の要領で、上記保持体５０のブレード保持孔５１へ挿入される。該信号ブレード３０も、上記ブレード保持孔５１内で、被規制部３３Ｂで挿入位置が決定され、締結部３３Ｃ，３３Ｄで締結保持され、また、グランド板３５のばね片３８によりブレード保持孔５１内での板厚方向のガタツキもなくなり、抜けも防止される。
【００３８】
このように電源ブレード１０そして信号ブレード３０を保持体５０のブレード保持孔５１へ挿入完了することで、図１の本実施形態のコネクタ１を得る。
【００３９】
この完成されたコネクタ１は、その電源回路１２の下端側の接続部１２Ｂと信号回路の下端側の接続部３２Ｂ、さらには取付金具６０が図示せぬ回路基板へ半田接続されて、該回路基板へ取り付けられる。この回路基板に接続されたコネクタ１へは、他の回路基板に接続された他のコネクタ（共に図示せず）を上方から接続される。この他のコネクタは、図１にてブレード保持孔５１から突出する電源ブレード１０の上端側の接続部１２Ａ、信号ブレード３０の上端側の接続部３２Ａ、さらには、グランド板３５の上端側の接触部のそれぞれと接触する。
【００４０】
＜第二実施形態＞
第一実施形態では、保持体は一部材でなっていたが、図５に示す第二実施形態では、上下に分割されている点に特徴がある。この第二実施形態では、図１ないし図４に示された第一実施形態と共通部位には同一符号を付しその説明を省略する。なお、本実施形態では、保持体は上下の同一構成の分割保持体を有しているが、この分割保持体は第一実施形態の保持体の上半部と同じであるので、両分割保持体に第一実施形態の保持体と同じ符号５０を付すこととする。
【００４１】
本実施形態のコネクタ１は、第一実施形態と同様に、一つの電源ブレード１０と四つの信号ブレード３０を組として、これら二組を対として互いに平行とした状態で、上下二つの分割保持体５０により保持している。また、本実施形態では、二つの分割保持体５０による電源ブレード１０、信号ブレード３０の保持を、より安定したものとするために、両分割保持体５０の間に、スペーサ部材７０を配している。
【００４２】
図６（Ａ）に見られるように、本実施形態では、電源ブレード１０は、上下端側がほぼ対称に作られていて、その内面側では、電源回路１２は両端側に平坦状の接続部１２Ａを有しており、第一実施形態におけるような下端側で屈曲された歯状の接続部は有していない。上方方向で両接続部１２Ａ間の基材１１の中間域に設けられた回路保持部１４は、本実施形態では上下の規制突部２５，２６を有している。上方側の規制突部２５は上方に向け開口部２５Ａを有する略Ｃ型をなし、下方側の規制突部２６は開口部を有しない閉じた形をなしている。このような規制突部２５の上端側縁部と、規制突部２６の下端側縁部は、それぞれ被規制部１４Ａを形成している。規制突部２５の被規制部１４Ａと回路保持部１４の上端縁との間、そして規制突部２６の被規制部１４Ａと回路保持部１４の下端縁の間では、条溝部１５に幅狭部を形成する締結部１５Ｂが設けられている。さらに、上記基材１１は上下方向の二箇所の被規制部１４Ａの側方位置の縁部に切欠部１７が形成されていて、ここに電源回路１２の係止突起１３が突出している。上方に位置する係止突起１３は上方側に斜縁を、そして下方に位置する係止突起１３は上方側に斜縁を有する三角翼状をなし、それらの突起１３の先端が基材１１の側端面１８よりも側方へ突出していることは、第一実施形態の場合と同様である。
【００４３】
このような本実施形態の電源ブレード１０は、図６（Ｂ）に見られるように、外面側では電源回路１２の両端の接続部１２Ａが基材１１により覆われている。該基材１１は、上下方向で、係止突起１３とほぼ対応する位置に、上下方向に延びて突出するリブ１９が設けられている。
【００４４】
本実施形態における信号ブレード３０も、図７（Ａ），（Ｂ）に見られるように、上下端側がほぼ対称に作られていて、その内面側は、図７（Ａ）のごとく、帯状の複数の信号回路３２の接続部３２Ａは該信号回路の上下両端側で細帯状となっており、第一実施形態におけるような下端側で屈曲された歯状の接続部は有していない。上下方向で両接続部３２Ａ間の基材３１の中間域に設けられた回路保持部３３は、本実施形態では上方側と下方側に規制突部３７を有している。この規制突部３７の上端側縁部と下端側縁部は、それぞれ被規制部３３Ｂを形成している。該被規制部３３Ｂと回路保持部３３の上端縁との間、そして上記被規制部３３Ｂと回路保持部３３の下端部の間では、条溝部３３Ａに幅狭部を形成する締結部３３Ｄが設けられている。
【００４５】
又、信号ブレード３０には、図７（Ｂ）に見られるごとく、第一実施形態と同様のグランド板４０が取り付けられている。
【００４６】
上下二つの分割保持体５０は、図８（Ａ），（Ｂ）に見られるように、同様に作られていて、それぞれ二組の電源ブレード１０と信号ブレード３０に対して上下から取り付けられる。本実施形態では、両分割保持体５０の間にスペーサ部材７０が配されている。該スペーサ部材７０は、分割保持体５０と同様に絶縁材から作られていて、外周面が分割保持体５０と同一面をなし、内周面が上記電源ブレード１０そして信号ブレード３０と何ら係止することなく該電源ブレード１０と信号ブレード３０が挿通できるスリット状角筒内面をなしている。該スペーサ部材７０は、上記分割保持体５０と上下方向で当接してその位置を互いに安定させる。
【００４７】
分割保持体５０は、上下方向の一端側にガイドポスト５２を有し、上下に貫通するブレード保持孔５１が形成されている。該ブレード保持孔５１内面には、電源ブレード１０の被規制部１４Ａに当接する規制部５１Ａが形成されていると共に、電源ブレード１０の条溝部１５で該電源ブレード１０の挿入案内をする凸条部５４が上記規制部５１Ａから下方に延びている。
【００４８】
本実施形態のコネクタを組み立てるには、先ず、電源ブレード１０と信号ブレード３０に対し、上方から分割保持体５０を取り付ける。次に、かかる電源ブレード１０と信号ブレード３０に対してスペーサ部材７０を下方から配した後に下方から分割保持体５０を取り付ける。これら上下の分割保持体５０の取付けに際しては、電源ブレード１０は、第一実施形態の場合と同様に、その条溝部１５が分割保持体５０の凸条部５４で案内され、被規制部１４Ａが規制部５１Ａに当接して挿入位置が決定される。また、係止突起１３が分割保持体５０のブレード保持孔５１の対応内面に喰い込んで抜けが防止されると共に、締結部１５Ｂにて分割保持体５０の凸条部５４に締結される。上記分割保持体５０は、電源ブレード１０への取付けと同様に、信号ブレード３０も同様の要領で取り付けられる。
【００４９】
かくして得られた、コネクタ１には、上下方向から、それぞれの回路基板に取り付けられたコネクタが接続される。
【００５０】
＜第三実施形態＞
次に、第三実施形態として、電源ブレード１０そして信号ブレード３０保持体５０への一括組立を可能とする方法そしてそのための治具について、第二実施形態の電源ブレード１０そして第一実施形態の信号ブレード３０の組み合わせを例として説明する。
【００５１】
図９（Ａ）にて、四つの信号ブレード３０はそれらのグランド板４０がキャリア４５によって連結されている。このキャリア４５は、保持体へ組み込まれた後は切り離されるのであるが、図９（Ａ）では、組込み前でありグランド板４０につながっている。一方、電源ブレード１０は信号ブレード３０のようなグランド板を有していないため、誤って逆方向から組み込まれる可能性が生ずる虞れがあり、この問題に対する対策を講ずる必要がある。
【００５２】
図９（Ｂ）に見られる治具８０は、このような問題を回避しつつ電源ブレード１０と信号ブレード３０を一括して組み込むことを可能としている。該治具８０は、上記キャリア４５付きの信号ブレード３０を該キャリア側から収める信号ブレード収容部８１と、一つの電源ブレード１０を信号ブレード３０に対して所定の位置関係で収める電源ブレード収容部８２とを形成している。上記信号ブレード収容部８１は、上記キャリア４５の分、そして信号ブレード３０の上端が電源ブレード１０よりも突出する分だけ奥行きが深く形成されている。電源ブレード収容部８２には規制棒８３が奥部内壁８２Ａから突出している。この規制棒８３は、図６（Ａ）に見られる電源ブレード１０の規制突部２５の上端側に形成された開口部２５Ａに突入する位置に形成され突入に十分な長さとなっている。したがって、上下方向で基本的には類似して作られている電源ブレード１０でも、若干なりと形態そして寸法に差があるときには、上記規制棒８３は、電源ブレードの上端側でのみ上記開口部１５と係合でき、逆の配置の場合、開口部が形成されていない下端側の規制突部２６に対しては突入できず上記治具８０への配置ができない。
【００５３】
かくして、正規の位置で治具８０に配置された電源ブレード１０と信号ブレード３０は一括して、図９（Ａ）で見られる下端側から保持体へ組み込まれる。組込み後、上記治具８０は外され、キャリア４５は切り離される。
【００５４】
本発明において、電源ブレードそして信号ブレードは対向して一対をなしている必要はなく、一方のみでもよい。又、信号ブレードの回路はプリント基板としてのプリントで形成されていてもよい。
【符号の説明】
【００５５】
１  コネクタ                      ３０  信号ブレード            
１０  電源ブレード                ３１  基材
１１  基材                        ３２  信号回路  
１２  電源回路                    ３２Ａ，３２Ｂ  接続部
１２Ａ，１２Ｂ  接続部            ５０  保持体                
１３  係止突起                    ５１  ブレード保持孔
１４Ａ  被規制部                  ５１Ａ  規制部
１５  条溝部                      ５４  凸条部
１５Ａ，１５Ｂ  締結部
１９  リブ  
【図１】
2011076826.tif 000003
【図２】
2011076826.tif 000004
【図３】
2011076826.tif 000005
【図４】
2011076826.tif 000006
【図５】
2011076826.tif 000007
【図６】
2011076826.tif 000008
【図７】
2011076826.tif 000009
【図８】
2011076826.tif 000010
【図９】
2011076826.tif 000011